【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
情報処理装置であって、
記憶部と、
制御部と、
前記記憶部及び前記制御部と通信する記憶制御部と、
を備え、
前記制御部は、第１の通信開始要求を前記記憶制御部に送信し、
前記記憶制御部は、前記制御部から前記第１の通信開始要求を受信し、前記第１の通信開始要求の受信に従って前記記憶部に第２の通信開始要求を送信し、
前記記憶部は、前記記憶制御部から前記第２の通信開始要求を受信し、前記第２の通信開始要求の受信に従って前記記憶部の起動処理を開始し、前記起動処理の完了に従って前記記憶制御部に第１の完了通知を送信し、
前記記憶制御部は、前記記憶部から前記第１の完了通知を受信し、前記第１の完了通知の受信に従って前記制御部に第２の完了通知を送信し、
前記制御部は、前記記憶制御部から前記第２の完了通知を受信し、その後、前記記憶制御部に情報取得要求を送信し、
さらに、
前記記憶制御部は、前記第１の通信開始要求の受信に従って、前記記憶部からの前記第１の完了通知を待たずに、前記制御部に第３の完了通知を送信し、
前記制御部は、前記記憶制御部から前記第３の完了通知を受信し、その後、前記記憶制御部に前記情報取得要求を送信し、
前記記憶制御部は、前記制御部から前記情報取得要求を受信し、前記記憶部からの前記第１の完了通知を待たずに、前記制御部に前記情報取得要求に対する応答を送信する、
ことを特徴とする情報処理装置。
【請求項２】
前記記憶制御部は、前記記憶部から前記記憶部に関する情報を受信し、受信した前記情報を前記記憶制御部のメモリに記憶し、
前記記憶制御部は、前記メモリに記憶された前記情報を使って、前記情報取得要求に対する前記応答を送信する、ことを特徴とする請求項１に記載の情報処理装置。
【請求項３】
前記情報取得要求は、前記記憶部のステータス情報を取得するためのコマンドである、ことを特徴とする請求項１又は２に記載の情報処理装置。
【請求項４】
前記ステータス情報は、前記記憶部と前記記憶制御部との間の通信の確立を示す情報、及び、前記記憶部が通常状態であることを示す情報、の少なくとも１つを含む、ことを特徴とする請求項１乃至３の何れか１項に記載の情報処理装置。
【請求項５】
前記記憶制御部は、前記記憶部とＳＡＴＡ規格に従って通信し、且つ、前記制御部とＳＡＴＡ規格に従って通信する、ことを特徴とする請求項１乃至４の何れか１項に記載の情報処理装置。
【請求項６】
前記記憶部は、ハードディスク装置である、ことを特徴とする請求項１乃至５の何れか１項に記載の情報処理装置。
【請求項７】
前記制御部は、前記情報処理装置の起動時および前記情報処理装置の省電力モードからの復帰時に、前記第１の通信開始要求を送信する、ことを特徴とする請求項１乃至６の何れか１項に記載の情報処理装置。
【請求項８】
用紙に画像を印刷する印刷部をさらに備える、ことを特徴とする請求項１乃至７の何れか１項に記載の情報処理装置。
【請求項９】
前記情報取得要求は、前記記憶部のシリアル番号、能力及び設定値の少なくとも１つを取得するための要求である、ことを特徴とする請求項１乃至８の何れか１項に記載の情報処理装置。
【請求項１０】
前記情報取得要求は、前記記憶部のＭＢＲを取得するための要求である、ことを特徴とする請求項１乃至８の何れか１項に記載の情報処理装置。
【請求項１１】
前記第1の通信開始要求、前記第２通信開始要求、及び前記情報取得要求は、ＳＡＴＡ規格に従ったコマンドである、ことを特徴とする請求項１乃至１０の何れか１項に記載の情報処理装置。
【請求項１２】
前記情報取得要求は、ＳＡＴＡ規格の拡張コマンドである、ことを特徴とする請求項１０に記載の情報処理装置。
【請求項１３】
前記記憶制御部は、データの暗号化処理機能を有する、ことを特徴とする請求項１乃至１２の何れか１項に記載の情報処理装置。
【請求項１４】
前記起動処理は、前記ハードディスク装置のディスクの回転処理を含む、ことを特徴とする請求項６に記載の情報処理装置。
【請求項１５】
前記省電力モードでは、前記制御部及び前記記憶制御部への電力供給が停止される、ことを特徴とする請求項７に記載の情報処理装置。
【請求項１６】
前記メモリは、不揮発性のメモリである、ことを特徴とする請求項２に記載の情報処理装置。
【請求項１７】
前記記憶制御部は、前記記憶部からの前記第１の完了通知の受信に従って、前記記憶部の状態が正常かどうかを判断する、ことを特徴とする請求項１乃至１６の何れか１項に記載の情報処理装置。
【請求項１８】
前記記憶制御部は、前記情報取得要求に対する前記応答を前記記憶部にアクセスすることなく生成し、生成した前記応答を前記制御部に送信する、ことを特徴とする請求項１乃至１７の何れか１項に記載の情報処理装置。
【請求項１９】
記憶部と、制御部と、前記記憶部及び前記制御部と通信する記憶制御部と、を備える情報処理装置の制御方法であって、
第１の通信開始要求を前記制御部から前記記憶制御部に送信するステップと、
前記記憶制御部による前記第１の通信開始要求の受信に従って、前記記憶制御部から前記記憶部に第２の通信開始要求を送信するステップと、
前記記憶部による前記第２の通信開始要求の受信に従って前記記憶部の起動処理を開始するステップと、
前記起動処理の完了に従って前記記憶部から前記記憶制御部に第１の完了通知を送信するステップと、
前記記憶制御部による前記第１の完了通知の受信に従って前記制御部に第２の完了通知を送信するステップと、
前記制御部による前記第２の完了通知の受信後に、前記制御部から前記記憶制御部に情報取得要求を送信するステップと、
前記記憶制御部による前記第１の通信開始要求の受信に従って、前記記憶部からの前記第１の完了通知を待たずに、前記記憶制御部から前記制御部に第３の完了通知を送信するステップと、
前記制御部による前記第３の完了通知の受信後に、前記記憶制御部に前記情報取得要求を送信するステップと、
前記記憶制御部から送信された前記情報取得要求に対する応答を、前記記憶部からの前記第１の完了通知を待たずに、前記制御部に送信するステップと、
有することを特徴とする情報処理装置の制御方法。
【請求項２０】
記憶部と、制御部と、前記記憶部及び前記制御部と通信する記憶制御部と、を備え、前記記憶制御部は、前記制御部から第１の通信開始要求を受信し、前記第１の通信開始要求の受信に従って前記記憶部に第２の通信開始要求を送信し、前記記憶部は、前記記憶制御部から前記第２の通信開始要求を受信し、前記第２の通信開始要求の受信に従って前記記憶部の起動処理を開始して、前記起動処理の完了に従って前記記憶制御部に第１の完了通知を送信し、前記記憶制御部は、前記第１の完了通知の受信に従って前記制御部に第２の完了通知を送信し、前記制御部は、前記第２の完了通知の受信後に、前記記憶制御部に情報取得要求を送信する、情報処理装置であって、
前記記憶制御部は、前記第１の通信開始要求の受信に従って、前記記憶部からの前記第１の完了通知を待たずに、前記制御部に第３の完了通知を送信し、
前記制御部は、前記記憶制御部から前記第３の完了通知を受信した後に、前記記憶制御部に前記情報取得要求を送信し、
前記記憶制御部は、前記制御部から前記情報取得要求を受信すると、前記記憶部からの前記第１の完了通知を待たずに、前記制御部に前記情報取得要求に対する応答を送信する、
ことを特徴とする情報処理装置。